(57)【要約】【課題】手軽に、空調服仕様の上着の風をズボン内に送り、又は空調服仕様のズボンの風を上着内に送れるようにする。【解決手段】空調服用ダクト１Ａが、可撓性チューブ２及び該チューブ２を衣類の腰部の一部に掛止させる取付具３を有し、空調服用ダクト１Ａの上部周面に通気口７を有する。取付具３は、可撓性チューブ２に沿って上下にスライドする帯状部材４に設けられていることが好ましく、可撓性チューブ２全体が蛇腹状チューブであることが好ましい。【選択図】図１
2020100924.tif 000002
【特許請求の範囲】
【請求項１】
可撓性チューブ及び該チューブを衣類の腰部の一部に掛止させる取付具を有する空調服用ダクトであって、該空調服用ダクトの上部周面に通気口を有する空調服用ダクト。
【請求項２】
可撓性チューブの上部側面に通気口を有する請求項１記載の空調服用ダクト。
【請求項３】
可撓性チューブ全体が蛇腹状である請求項１又は２記載の空調服用ダクト。
【請求項４】
可撓性チューブの横断面が扁平である請求項３記載の空調服用ダクト。
【請求項５】
取付具が、可撓性チューブに沿って上下にスライドする帯状部材に設けられている請求項１〜４のいずれかに記載の空調服用ダクト。
【請求項６】
複数の可撓性チューブが並列している請求項１〜５のいずれかに記載の空調服用ダクト。
【請求項７】
並列した複数の可撓性チューブの中央部を、上下にスライドする帯状部材が束ねている請求項６記載の空調服用ダクト。
【発明の詳細な説明】
【技術分野】
【０００１】
本発明は、空調服用ダクトに関する。
【背景技術】
【０００２】
作業服等の上着又はズボンに小型の送風装置を組み込んだ空調服が普及している。空調服の着用により作業中の暑さを軽減することができ、熱中症の予防にもなる。
【０００３】
しかしながら、例えば空調服仕様の上着を着用した場合、上着の送風装置による風は下半身に及ばないため、上半身は快適であっても下半身は暑いままとなる。これに対しては空調服仕様のズボンを着用することが考えられるが、上着とズボンの双方に送風装置を備えることは作業服のコストが過度に高くつき、重量も２倍になる。
【０００４】
そこで、上着の送風装置の風が下半身に流れるように、合成樹脂板を芯材とする幅広の腰ベルトに、直径３〜１５ｍｍの潰れにくい円筒状の管を多数並列させて固定した空調服用腰ベルトが提案されている（特許文献１）。
【先行技術文献】
【特許文献】
【０００５】
【特許文献１】特許５８４０２７１号公報
【発明の概要】
【発明が解決しようとする課題】
【０００６】
しかしながら、特許文献１に記載の空調服用腰ベルトを使用する場合、下着の上から空調服用腰ベルトを腰の全周に巻きつけ、その上から空調服仕様の上着を着、その上に通常のズボンをはくことが必要とされ、ズボンをはいた後に空調服用腰ベルトを装着することができず、利便性に欠ける。
【０００７】
これに対し、本発明は、より手軽に、空調服仕様の上着の風をズボン内に送り、又は空調服仕様のズボンの風を上着内に送れるようにすることを課題とする。
【課題を解決するための手段】
【０００８】
本発明者は、上着内とズボン内の空気を連通させるダクトとして可撓性チューブを使用し、これを取付具により衣類の腰部の一部に掛止させると、腰部全周に幅広のベルトを巻き付けることが不要となり、軽量で体の屈曲も容易となり、手軽に装着できること、また、ダクトの上下両端の開口部を通気口とするだけでなく、ダクトの上部周面に通気口を開けると、上端の開口部を着衣の布が蓋をするように覆っても、空調服仕様の上着内の風をズボン内に送る場合には、周面の通気口から上着内の風をズボン内に送ることができ、また、空調服仕様のズボンの風を上着内に送る場合にも、周面の通気口を通して上着内に風を送ることができることを想到し、本発明を完成させた。
【０００９】
即ち、本発明は、可撓性チューブ及び該チューブを衣類の腰部の一部に掛止させる取付具を有する空調服用ダクトであって、該空調服用ダクトの上部周面に通気口を有する空調服用ダクトを提供する。
【発明の効果】
【００１０】
本発明の空調服用ダクトによれば、取付具により可撓性チューブをズボンのウエスト部分、ベルト等に、例えば引っかけるようにして掛止させることができ、幅広のベルト状部材を腰部の全周に巻き付けることが不要となっている。したがって、この空調服用ダクトは、空調服仕様の上着又は空調服仕様のズボンを着た後にでも、ズボン内に可撓性チューブを差し込むようにして手軽に装着することができ、装着後に外すことも容易である。また、装着位置を作業者が腰回りの任意の位置に定めることができるので装着感が優れており、空調服用ダクトの装着が作業に支障をきたすことを防止できる。本発明の空調服用ダクトは、構成がシンプルで軽量化できる点でも優れている。
【００１１】
さらに、本発明の空調服用ダクトによれば、可撓性チューブの上下両端の開口部が通気口となるだけでなく、該空調服用ダクトの上部周面にも通気口が設けられているので、可撓性チューブの上端の開口部を、着衣の布等が蓋をするように覆っても、周面の通気口を通して上着内とズボン内を通気させることができる。したがって、上着内の風をズボン内に、あるいはズボン内の風を上着内に、確実に送ることができ、快適さを確実に向上させることが可能となる。
【００１２】
特に可撓性チューブ全体として蛇腹状のチューブを使用した場合には、蛇腹状のチューブの周面に開けた通気口は、該チューブの表面凹凸により密閉されにくいので、良好な通気状態が確実に維持される。また、蛇腹状のチューブは屈曲してもチューブの径が潰れにくいので、これによっても良好な通気状態が確実に維持される。加えて蛇腹状のチューブは軽量である点でも優れている。
【図面の簡単な説明】
【００１３】
【図１】図１は、実施例の空調服用ダクト１Ａの（ａ）斜視図、（ｂ）側面図、及び（ｃ）断面図である。
【図２】図２は、周面の通気口の位置が異なる実施例の空調服用ダクト１Ａ’の斜視図である。
【図３】図３は、取付具の変形例の斜視図である。
【図４】図４は、取付具の変形例の側面図である。
【図５Ａ】図５Ａは、実施例の空調服用ダクト１Ａの着用例である。
【図５Ｂ】図５Ｂは、実施例の空調服用ダクト１Ａの着用例の装着部付近（上着着用前）の正面図である。
【図５Ｃ】図５Ｃは、実施例の空調服用ダクト１Ａの着用例の装着部付近（上着着用後、可撓性チューブの上端の開口が塞がれていない状態）を側面方向から見た透視図である。
【図５Ｄ】図５Ｄは、実施例の空調服用ダクト１Ａの着用例の装着部付近（上着着用後、可撓性チューブの上端の開口が塞がれている状態）を側面方向から見た透視図である。
【図６】図６は、実施例の空調服用ダクト１Ａの着用例である。
【図７】図７は、実施例の空調服用ダクト１Ａの着用例である。
【図８】図８は、実施例の空調服用ダクト１Ａの着用例である。
【図９】図９は、実施例の空調服用ダクト１Ｂの斜視図である。
【図１０】図１０は、実施例の空調服用ダクト１Ｃの斜視図である。
【図１１】図１１は、実施例の空調服用ダクト１Ｄの斜視図である。
【図１２】図１２は、実施例の空調服用ダクト１Ｅの（ａ）斜視図及び（ｂ）側面図である。
【発明を実施するための形態】
【００１４】
以下、本発明の空調服用ダクトを実施例により詳細に説明する。なお、各図中、同一符号は、同一又は同等の構成要素を表している。
【００１５】
図１Ａは、本発明の一実施例の空調服用ダクト１Ａの斜視図及びその側面図である。
【００１６】
（全体構成）
この実施例の空調服用ダクト１Ａは、複数本の可撓性チューブ２と、該チューブ２を衣類の腰部の一部に掛止させる取付具３を備え、取付具３は複数の可撓性チューブ２を束ねる帯状部材４に取り付けられている。なお、後述するように、本発明の空調服用ダクトが備える可撓性チューブ２は１本であってもよく、取付具３は可撓性チューブ２に直接的に取り付けられていてもよい。
【００１７】
（可撓性チューブ）
本発明の空調服用ダクトはその上部周面に通気口を有し、本実施例においてはこの通気口７が可撓性チューブ２の上部側面、即ち、取付具３よりも上方にある可撓性チューブ２の側面に設けられている。通気口７の形成位置を可撓性チューブ２の上部側面とすることで、この空調服用ダクト１Ａの装着時に通気口７がズボン内ではなく、上着内に位置するようになり、着衣等で可撓性チューブ２の上端の開口部が塞がれても上着内とズボン内の空気を良好に連通させることができる。可撓性チューブ２に設ける通気口７の個数や位置は、可撓性チューブ２の上部周面である限り特に制限はなく、例えば、図１に示したように、取付具３側の側面に通気口７を設けても良く、図２に示したように、左右の側面に通気口７を設けても良く、これらの双方を設けても良い。着衣等で通気口が塞がれにくい点からは取付具３側の側面に通気口を設けることが好ましい。
【００１８】
可撓性チューブ２自体としては、合成樹脂製で軽量のチューブを使用することが好ましく、例えば、図１に示したように蛇腹形状を有するチューブ、シリコーンチューブ等の円筒状チューブ、横断面が扁平なフラットチューブ、多芯のフラットチューブなどを使用することができる。特に、同図に示したように、可撓性チューブ全体を蛇腹状とすることが好ましい。これにより、空調服用ダクト１Ａの使用時に、可撓性チューブ２の周面の通気口７に着衣等が被さっても蛇腹状のチューブの表面凹凸により該通気口７は塞がれにくく、また、可撓性チューブ２が屈曲しても可撓性チューブ２の径が潰れて上着内とズボン内の通気状態が損なわれることを防止できる。
【００１９】
蛇腹形状を有する可撓性チューブ２としては、例えば、電気配線等のカバー用チューブとして市販されている外山電気（株）製モールフレキ、パナソニック（株）製フリージョイント、（株）ニッセイエコ製コルゲートチューブ等を使用することができる。中でも、横断面が楕円形状、角を丸めた扁平な矩形形状等の扁平形状であることが好ましい。これにより、装着感を低下させず、かつ屈曲しても可撓性チューブが完全に閉じることなく、上着内とズボン内との通気状態を維持させることができる。扁平形状の大きさとしては、例えば、可撓性チューブの外形の短径Ｗ３を１０〜３０ｍｍ、長径Ｗ４を３０〜５０ｍｍとすることができる。
【００２０】
また、シリコーンチューブとしては、直径１０〜３０ｍｍで自立性を有するものが好ましい。
【００２１】
一方、可撓性チューブ２の長さＨ（図１）としては、長すぎると着用時に邪魔になり、短すぎると上着内とズボン内を確実に連通させることができないため、例えば１５０〜２５０ｍｍとすることが好ましい。
【００２２】
本発明において、可撓性チューブ２は、１本だけとしてもよく、複数本を並列させてもよい。図１に示した実施例では、２本の蛇腹状可撓性チューブ２を並列させている。蛇腹状可撓性チューブを並列させる場合、装着感を損なわず、かつ上着内とズボン内の通気を確実に確保する点からは、２〜４本の蛇腹状可撓性チューブの幅狭の面同士を対向させ、幅広の面が面一となるように並列させることが好ましい。
【００２３】
本発明において、空調服用ダクト１Ａの長手方向の中央部の幅Ｗ１は、上述した可撓性チューブのいずれを使用する場合でも６０〜１２０ｍｍとすることが好ましい。これにより、腰部の半周以上に可撓性チューブを装着する場合に比して、作業者が顕著に動きやすくなる。
【００２４】
（取付具）
本発明において取付具３は可撓性チューブ２を衣類の腰部に掛止させるものである。より具体的には、取付具３は、可撓性チューブ２に取り付けられていると共に、ズボンや下着のウエスト部分やベルト等に掛止する部材である。取付具３は、例えば、図１に示したように、可撓性チューブ２の中央部に嵌められる筒状の帯状部材４と一体成型されていてもよく、図３に示すように、帯状部材４とは別体に形成されたＳ字フック型のベルトフック３ａ等を取付具として使用しても良い。このＳ字フック型のベルトフック３ａは、帯状部材４に容易に取り付け、接着剤等で固定することができる。
【００２５】
取付具３の形状は、ズボンや下着のウエスト部分や、ベルト等に掛止できるものであればよい。したがって、例えば、図４（ａ）に示すように、側面視が釣り針型でもよく、同図（ｂ）に示すように、側面視がスナップフック型でもよく、同図（ｃ）に示すように、側面視が閉じたループ状のベルト通し型でもよい。取付具３の幅Ｗ２（図１）は、掛止状態を安定させ、かつ空調服用ダクトの装着が作業者の動きの邪魔にならないようにするため、１０〜５０ｍｍとすることが好ましい。
【００２６】
取付具３は、可撓性チューブ２の衣類の腰部への掛止状態を保持できる限り、装着感を向上させるため、ゴム系材料などの可撓性材料で形成することが好ましい。
【００２７】
取付具３の帯状部材４への取り付け方法としては、前述の接着の他、リベット、ビス等による取り付け方法を挙げることができる。なお、取付具３は可撓性チューブ２に直接取り付けることもできるが、取付具３を帯状部材４に取り付けることにより、可撓性チューブ２から不用に空気が漏れ出ることを防止でき、取付具３と蛇腹状可撓性チューブ２との取り付け状態も安定する。
【００２８】
（帯状部材）
図１の空調服用ダクト１Ａにおいては、筒状の帯状部材４が２本の蛇腹状の可撓性チューブ２の中央部に嵌められ、これらの可撓性チューブを束ねている。この帯状部材４は、例えば、ゴム系材料、シリコーン樹脂等から形成し、複数本の可撓性チューブ２を適度に締め付けるものが好ましい。この適度な締め付けにより、帯状部材４が可撓性チューブ２から抜けないようにしつつ、帯状部材４を可撓性チューブ２に沿って上下にスライドさせることができ、空調服用ダクト１Ａの装着位置を調整することが可能となる。
また、前述のように、帯状部材４に取付具３を取り付けることが好ましい。
【００２９】
図１に示した空調服用ダクト１Ａは、その上端部と下端部にも２本の可撓性チューブ２を束ねる帯状部材５ｕ、５ｂを有している。
【００３０】
帯状部材５ｕ、５ｂは、中央部を束ねる帯状部材４と同様に、例えばゴム系材料から形成することができる。空調服用ダクト１Ａの下端部に帯状部材５ｂがあることにより、複数本の可撓性チューブ２のズボン内への挿入が容易となり、上端部に帯状部材５ｕがあることにより、空調服用ダクトの使用時に複数本の可撓性チューブ２がばらけることがなく、取り扱い性が向上する。
【００３１】
（空調服用ダクトの使用方法）
本発明の空調服用ダクトは衣類に対して手軽に着脱ができ、可撓性チューブ２を腰回りに掛止させる位置は、当該作業者の服装、作業内容、当該作業者の感じる暑さなどに応じて適宜変更することができる。例えば、図５Ａに示すように、作業者Ｐが空調服仕様の上着１１を着用し、通常のズボン１２をはいている場合、作業者Ｐはその背面において、空調服用ダクト１Ａの可撓性チューブ２の下部をズボン１２内に挿入し、取付具３をズボン１２のベルト１３に掛止し、その上に上着１１が被るようにする。図５Ｂは、上着１１を着用する前の空調服用ダクト１Ａの装着部付近の正面図であり、図５Ｃは上着１１を着用した後の装着部付近を作業者Ｐの側面方向から見たときの透視図である。このように空調服用ダクト１Ａを装着することにより、送風装置１０から上着１１内に送り込まれた空気は、可撓性チューブ２の上端の開口部２ａならびに周面の通気口７及び下端部の開口部２ｂを通してズボン１２内に送り込まれ、上着１１内だけでなく、ズボン１２内においても送風装置１０による送風効果を享受することができる。一般に、空調服仕様の上着１１は裾１１ａがゴム等で絞られているものが多く、そのような上着１１では空調服用ダクト１Ａによる送風効果を特に良好に享受することができる。図５Ｄに示すように、シャツ１４が撓んで可撓性チューブ２の上端の開口部２ａを塞いでも、可撓性チューブ２の上部周面には通気口７が開いているので、この通気口７を通して上着１１内の空気がズボン１２内に送り込まれ、良好な通気状態が維持される。
【００３２】
また、空調服用ダクト１Ａ自体は送風装置を備えていないため、作業者には送風装置２個分の重さがかかることはなく、さらに、作業者Ｐが既に有している任意の空調服に対して、上述の効果を得ることができる。
【００３３】
空調服用ダクトの使用方法としては、図６に示すように、作業者Ｐがその前面において、可撓性チューブ２の下部をズボン１２内に挿入し、取付具３をベルト１３に掛止させてもよい。また、図７に示すように、作業者Ｐがその背面において、可撓性チューブ２が下着の上にくるように取付具３を下着のウエスト部に掛止させ、その上から上着１１を着て、さらにズボン１２をはき、ベルト１３をしめてもよい。このようにベルト１３を最も外側にすると、ベルト１３に、例えば、電気工事用の腰道具や大工用の腰袋などを多数掛止させて作業を行うことができる。図８に示すように、ズボン１２が空調服仕様である場合にも本発明の空調服用ダクト１Ａは使用することができ、ズボン１２内の送風装置１０による風を上着１１内に送り込むことができる。この場合、可撓性チューブ２の上端の開口部が着衣等によって塞がれても、可撓性チューブ２の上部側面の通気口７を通してズボン１２内の風を上着１１内に送ることができる。
【００３４】
本発明は種々の態様をとることができる。例えば、図９に示す空調服用ダクト１Ｂは、図１に示した空調服用ダクト１Ａから上端部と下端部の帯状部材５ｕ、５ｂを省略し、隣り合う可撓性チューブ２同士を接着し、取付具３としてＳ字フック型のものを帯状部材４に取り付けたものである。
【００３５】
図１０に示す空調服用ダクト１Ｃのように、空調服用ダクト１Ａの上端部の帯状部材５ｕを、上端が拡径したロート型部材６としてもよい。このようなロート型部材６を可撓性チューブ２の上端部に設けることにより、上着内からズボン内へ、風がより一層送られ易くなる。また、このロート型部材６の側面には通気口７が開口している。このように上端部の帯状部材を可撓性チューブ２から突出させる場合、帯状部材の突出部分の側面に通気口７を設けても良い。
【００３６】
図１１に示す空調服用ダクト１Ｄは、図１０に示した空調服用ダクト１Ｃの中央部の帯状部材４を上方に延設し、中央部の帯状部材４とロート型部材６とを一体化させたものである。可撓性チューブ２の腰が弱く、中央部だけの支持では起立状態を維持できない場合には、このように中央部の帯状部材４を上方に延設することが好ましい。また、この空調服用ダクト１Ｄでは、幅広の取付具３を使用している。取付具３を幅広にする場合、軽量化のために同図に示すように抜き部分３ｘを形成してもよい。
【００３７】
図１２に示す空調服用ダクト１Ｅは、図１に示した空調服用ダクト１Ａにおいて、可撓性チューブ２を１本とし、帯状部材４、５ｕ、５ｂを省略し、可撓性チューブ２に幅広で抜き部分３ｘを有する取付具３を直接接着したものである。このように本発明の空調服用ダクトは簡素化した構成とし、より低コストに製造できるようにしてもよい。
【００３８】
上述した空調服用ダクトの構成は、適宜組み合わせることができ、例えば、蛇腹状可撓性チューブに代えて円筒状シリコーンチューブを設けることができる。
【符号の説明】
【００３９】
１Ａ、１Ａ’、１Ｂ、１Ｃ、１Ｄ、１Ｅ  空調服用ダクト
２    可撓性チューブ
２ａ  上端の開口部
２ｂ  下端の開口部
３    取付具
３ａ  Ｓ字型ベルトフック
３ｘ  抜き部分
４    帯状部材
５ｕ、５ｂ    帯状部材
６    ロート型部材
７    通気口
１０    送風装置
１１    上着
１１ａ  上着の裾
１２    ズボン
１３    ベルト
１４    シャツ
【図１】
2020100924.tif 000003
【図２】
2020100924.tif 000004
【図３】
2020100924.tif 000005
【図４】
2020100924.tif 000006
【図５Ａ】
2020100924.tif 000007
【図５Ｂ】
2020100924.tif 000008
【図５Ｃ】
2020100924.tif 000009
【図５Ｄ】
2020100924.tif 000010
【図６】
2020100924.tif 000011
【図７】
2020100924.tif 000012
【図８】
2020100924.tif 000013
【図９】
2020100924.tif 000014
【図１０】
2020100924.tif 000015
【図１１】
2020100924.tif 000016
【図１２】
2020100924.tif 000017